(57)【特許請求の範囲】
【請求項１】
装置ＩＤを有してスタンドアローンで動作可能な可搬式のカラオケ装置と、健康指導コンテンツを再生して健康指導のセッションを実行する指導者が所持して上記カラオケ装置で表示された当該装置ＩＤ及び上記健康指導コンテンツのコンテンツＩＤに対応する情報コードを読み取り自己の指導者ＩＤと共に送信する機能を少なくとも備える携帯端末と通信自在であり、上記指導者を管理するためのホスト装置とを有する健康指導コンテンツ再生管理システムであって、
前記カラオケ装置は、
健康指導のセッションで再生する複数の健康指導コンテンツをそれぞれのコンテンツＩＤと紐付けて記憶するコンテンツ記憶手段と、
記憶された複数の前記健康指導コンテンツの中から一つの健康指導コンテンツを選択させる選択手段と、
表示して前記携帯端末に読み取らせるためのものであり、選択された健康指導コンテンツのコンテンツＩＤ及び前記装置ＩＤを含むコンテンツ情報の情報コードを生成するコード生成手段と、
所定のパスワード生成キーを更新自在に記憶し、当該パスワード生成キー及び前記装置ＩＤに基づいてパスワードを生成するパスワード生成手段と、
前記携帯端末を所持する指導者によるパスワードの入力を受け付けるパスワード受付手段と、
入力されたパスワードと前記パスワード生成手段で生成したパスワードを照合する照合手段と、
前記照合手段による照合の結果に応じて、前記選択された健康指導コンテンツを再生させるコンテンツ再生手段と、を備え、
前記ホスト装置は、
少なくとも指導者の資格情報を含む指導者情報を指導者ＩＤと紐付けて記憶する指導者情報記憶手段と、
複数の健康指導コンテンツそれぞれのコンテンツＩＤに、当該健康指導コンテンツの再生が許可される資格等級を対応付けて記憶される再生資格テーブルと、
前記携帯端末から送信されてきた前記カラオケ装置で選択された健康指導コンテンツのコンテンツＩＤ、前記カラオケ装置の装置ＩＤ及び当該携帯端末を所持する指導者ＩＤを受信して取得する受信情報取得手段と、
前記取得した指導者ＩＤに基づいて、前記指導者情報記憶手段より指導者情報を抽出する指導者情報抽出手段と、
前記抽出された指導者情報から当該指導者の資格等級を特定し、前記再生資格テーブルを参照して、当該特定された資格等級と前記携帯端末から送信されてきたコンテンツＩＤとから当該指導者による当該コンテンツの再生を許可するかどうかを判定するコンテンツ再生判定手段と、
前記カラオケ装置の所持するパスワード生成キーと同様の更新自在なパスワード生成キーを所持し、前記コンテンツ再生判定手段の判定により当該指導者が当該コンテンツの再生を許可する場合に、当該パスワード生成キーと前記取得された装置ＩＤに基づいてパスワードを生成して前記携帯端末に送信するパスワード生成送信手段と、を備える、
ことを特徴とする健康指導コンテンツ再生管理システム。
【請求項２】
請求項１記載の健康指導コンテンツ再生管理システムであって、
前記携帯端末が、少なくとも再生が終了した健康指導コンテンツのコンテンツＩＤ及び指導者ＩＤを含むセッション履歴を作成して前記ホスト装置に送信するセッション履歴作成送信手段を備えるものとして、前記ホスト装置は、前記受信情報取得手段で前記携帯端末から送信されたセッション履歴を受信して取得し、前記指導者情報記憶手段に取得したセッション履歴を当該指導者の指導者ＩＤに紐付けして更新、記憶するセッション履歴更新手段を備えることを特徴とする健康指導コンテンツ再生管理システム。
【請求項３】
請求項２記載の健康指導コンテンツ再生管理システムであって、
前記ホスト装置は、
前記セッション履歴更新手段が、前記指導者情報記憶手段にセッション履歴を更新、記憶した際に、当該指導者ＩＤに紐付けられた複数のセッション履歴全体が所定の条件を満たしているか否かを判定するセッション履歴判定手段と、
少なくとも、前記セッション履歴全体が所定の条件を満たしたことを契機として、前記携帯端末に対して当該条件に対応した所定のメッセージを作成して送信するメッセージ作成送信手段と、
を備えることを特徴とする健康指導コンテンツ再生管理システム。
【発明の詳細な説明】
【技術分野】
【０００１】
本発明は、可搬式のカラオケ装置を用いて健康指導コンテンツを再生する健康指導コンテンツ再生管理システムに関する。
【背景技術】
【０００２】
近年、健康管理や維持、リハビリテーションなどを指導する現場（健康指導セッション）で、カラオケ装置が普及し始めている。カラオケ装置には、楽曲の演奏データの再生や、楽曲演奏のＢＧＶとしての背景映像データの再生を行う機能が備わっており、このような機能を利用すれば、健康指導セッションの際の専用コンテンツを再生することができるが、健康指導セッションを実施する指導者の有する資格に応じて、再生できる専用コンテンツの種類に制限をかけることが望ましい。
【０００３】
従来、カラオケ装置には、登録会員の会員料金や利用回数などによるグレードに応じて、当該登録会員が利用できるコンテンツの種類を制限するものが知られている。例えば、特許文献１には、ホストの記憶装置に、複数端末のカラオケ再生部を会員種別に分類して登録した記憶エリアと、会員種別毎に送信される各種のメニュー画面をそれぞれ記憶する記憶エリアとを備えさせ、端末のカラオケ再生部からホストに情報データを要求して会員種別に対応するメニュー画面を表示することで、より広い範囲でのサービスを受けられる特別会員と、カラオケ歌唱を中心にした狭い範囲でのサービスを受ける一般会員との両方に対して、混乱せずにメニューを選択できるようにした通信カラオケ装置が開示されている。
【０００４】
上記のような通信カラオケ装置の技術を、健康指導セッションにおけるコンテンツ再生に応用し、会員の種類を指導者の資格、受けられるサービスを健康指導コンテンツと置き換えて、当該通信カラオケ装置において指導者の資格に応じた健康指導コンテンツを再生することが考えられる。
【０００５】
一方、健康指導セッションの指導者は、専門の訓練を受け、健康指導を提唱、主催する団体から指導者としての資格を付与された専門家であるが、資格には幾つかの等級があり、指導経験や専門知識、指導スキルなどに応じて異なる資格が付与される。そして、健康指導セッションには、比較的経験の浅い指導者でも実施できるものもあれば、豊富な経験や高度な知識、指導スキルを有する指導者にしか実施できないものもあって、経験の浅い指導者がレベルの高い健康指導セッションを実施するのは、指導を受ける人たちにとってもリスクが大きく、そのような事態は極力避けなければならない。
【先行技術文献】
【特許文献】
【０００６】
【特許文献１】特開平０９−１７９５７０号公報
【発明の概要】
【発明が解決しようとする課題】
【０００７】
ところで、上記のような通信カラオケ装置においては、任意の会員がどのカラオケ端末を利用しても対応できるように、会員情報を集中管理して複数のカラオケ端末で利用できるようにするために会員情報はセンターサーバ（ホスト）が管理しており、サーバとカラオケ端末がネットワークにより通信可能に接続されて、会員がカラオケ端末にログインすることにより、カラオケ端末とサーバが通信し、会員の種類を特定したり対応するサービスの範囲を決定したりすることができる。
【０００８】
しかしながら、指導者が健康指導セッションを実施するのは、カラオケ端末が固定的に設置されて通信回線と常に接続されているカラオケルームやカラオケ飲食店のような施設ではなく、介護施設や公共施設のような空間であることから、可搬式のカラオケ装置を運び込んで健康指導セッションを行うのが一般的であり、常に通信回線と接続状態とさせることはできない。
【０００９】
可搬式のカラオケ装置はカラオケ楽曲の演奏データや背景映像データ、各種コンテンツをハードディスクドライブ（ＨＤＤ）に蓄積しており、通常は通信回線と接続することなくスタンドアローンでも使用できるという特長がある一方で、指導者が健康指導セッションを実施する施設は決まっていないために資格等の指導者情報は一般的な通信カラオケシステムと同様にセンターサーバで集中管理しなければならないという事情があり、常設型の通信カラオケ端末と異なり、スタンドアローンのカラオケ装置を多用する健康指導セッションにおいては、指導者資格の等級による専用コンテンツの再生制限が困難であるという問題がある。
【００１０】
そこで、本発明は上記課題に鑑みなされたもので、スタントアローンで動作可能な可搬式のカラオケ装置であっても指導者資格の等級による健康指導コンテンツの再生制限を可能とする健康指導コンテンツ再生管理システムを提供することを目的とする。
【課題を解決するための手段】
【００１１】
上記課題を解決するために、請求項１の発明では、装置ＩＤを有してスタンドアローンで動作可能な可搬式のカラオケ装置と、健康指導コンテンツを再生して健康指導のセッションを実行する指導者が所持して上記カラオケ装置で表示された当該装置ＩＤ及び上記健康指導コンテンツのコンテンツＩＤに対応する情報コードを読み取り自己の指導者ＩＤと共に送信する機能を少なくとも備える携帯端末と通信自在であり、上記指導者を管理するためのホスト装置とを有する健康指導コンテンツ再生管理システムであって、前記カラオケ装置は、健康指導のセッションで再生する複数の健康指導コンテンツをそれぞれのコンテンツＩＤと紐付けて記憶するコンテンツ記憶手段と、記憶された複数の前記健康指導コンテンツの中から一つの健康指導コンテンツを選択させる選択手段と、表示して前記携帯端末に読み取らせるためのものであり、選択された健康指導コンテンツのコンテンツＩＤ及び前記装置ＩＤを含むコンテンツ情報の情報コードを生成するコード生成手段と、所定のパスワード生成キーを更新自在に記憶し、当該パスワード生成キー及び前記装置ＩＤに基づいてパスワードを生成するパスワード生成手段と、前記携帯端末を所持する指導者によるパスワードの入力を受け付けるパスワード受付手段と、入力されたパスワードと前記パスワード生成手段で生成したパスワードを照合する照合手段と、前記照合手段による照合の結果に応じて、前記選択された健康指導コンテンツを再生させるコンテンツ再生手段と、を備え、前記ホスト装置は、少なくとも指導者の資格情報を含む指導者情報を指導者ＩＤと紐付けて記憶する指導者情報記憶手段と、複数の健康指導コンテンツそれぞれのコンテンツＩＤに、当該健康指導コンテンツの再生が許可される資格等級を対応付けて記憶される再生資格テーブルと、前記携帯端末から送信されてきた前記カラオケ装置で選択された健康指導コンテンツのコンテンツＩＤ、前記カラオケ装置の装置ＩＤ及び当該携帯端末を所持する指導者ＩＤを受信して取得する受信情報取得手段と、前記取得した指導者ＩＤに基づいて、前記指導者情報記憶手段より指導者情報を抽出する指導者情報抽出手段と、前記抽出された指導者情報から当該指導者の資格等級を特定し、前記再生資格テーブルを参照して、当該特定された資格等級と前記携帯端末から送信されてきたコンテンツＩＤとから当該指導者による当該コンテンツの再生を許可するかどうかを判定するコンテンツ再生判定手段と、前記カラオケ装置の所持するパスワード生成キーと同様の更新自在なパスワード生成キーを所持し、前記コンテンツ再生判定手段の判定により当該指導者が当該コンテンツの再生を許可する場合に、当該パスワード生成キーと前記取得された装置ＩＤに基づいてパスワードを生成するパスワード生成送信手段と、前記生成したパスワードを前記携帯端末に送信する送信手段と、を備える構成とする。
【００１２】
請求項２，３の発明では、「前記携帯端末が、少なくとも再生が終了した健康指導コンテンツのコンテンツＩＤ及び指導者ＩＤを含むセッション履歴を作成して前記ホスト装置に送信するセッション履歴作成送信手段を備えるものとして、前記ホスト装置は、前記受信手段で前記携帯端末から送信されたセッション履歴を受信して取得し、前記指導者情報記憶手段に取得したセッション履歴を当該指導者の指導者ＩＤに紐付けして更新、記憶するセッション履歴更新手段を備える」構成とし、
「前記ホスト装置は、前記セッション履歴更新手段が、前記指導者情報記憶手段にセッション履歴を更新、記憶した際に、当該指導者ＩＤに紐付けられた複数のセッション履歴全体が所定の条件を満たしているか否かを判定するセッション履歴判定手段と、少なくとも、前記セッション履歴全体が所定の条件を満たしたことを契機として、前記携帯端末に対して当該条件に対応した所定のメッセージを作成して送信するメッセージ作成送信手段と、
を備える」構成とする。
【発明の効果】
【００１３】
請求項１の発明によれば、カラオケ装置には健康指導のセッションで再生する複数の健康指導コンテンツをそれぞれのコンテンツＩＤと紐付けて記憶され、ホスト装置には少なくとも指導者の資格情報を含む指導者情報を指導者ＩＤと紐付けて記憶させると共に、複数の健康指導コンテンツそれぞれのコンテンツＩＤに、当該健康指導コンテンツの再生が許可される資格等級を対応付けた再生資格テーブルを記憶させ、カラオケ装置で健康指導セッションを実行する指導者による一の健康指導コンテンツが選択された際に、コンテンツＩＤ及び装置ＩＤを含むコンテンツ情報の情報コードを生成、表示し、携帯端末に読み込ませて当該携帯端末よりホスト装置にコンテンツＩＤ、装置ＩＤ及び指導者ＩＤを送信させ、ホスト装置で受信した指導者ＩＤに基づき指導者情報から当該指導者の資格等級を特定し、当該等級及びコンテンツＩＤから再生資格テーブルを参照して当該健康指導コンテンツの再生を許可するか否かを判定し、許可する場合にパスワード生成キー及び装置ＩＤからパスワードを生成して当該携帯端末に送信し、当該携帯端末を所持する指導者がカラオケ装置にパスワードを入力したときに、パスワード生成キー及び装置ＩＤからパスワードを生成して入力パスワードと照合し、一致したときに選択した健康指導コンテンツの再生を受け付ける構成とすることにより、スタンドアローンの可搬式のカラオケ装置であっても、指導者の資格等級を特定することが可能となって、指導者資格等級の異なる健康指導コンテンツの再生を制限することができるものである。
【００１４】
請求項２，３の発明によれば、携帯端末より再生が終了した健康指導コンテンツのセッション履歴をホスト装置に送信させ、ホスト装置が、受信したセッション履歴を指導者情報記憶手段に更新、記憶させ、当該指導者ＩＤに紐付けられた複数のセッション履歴全体が所定の条件を満たしたことを契機に携帯端末に対して当該条件に対応した所定のメッセージを作成して送信する構成とすることにより、指導者に対して資格昇級の意欲を向上させ、システム利用のサービス向上を図ることができるものである。
【図面の簡単な説明】
【００１５】
【図１】本発明の管理システムに係る関係図である。
【図２】管理システムを構成するカラオケ装置のブロック構成図である。
【図３】管理システムを構成するホスト装置のブロック構成図である。
【図４】管理システム運用に係る携帯端末のブロック構成図である。
【図５】管理システム運用の説明流れ図である。
【図６】図５の健康指導コンテンツの選択表示の説明図である。
【図７】図５の携帯端末における健康指導セッションに係る表示形態の説明図である。
【発明を実施するための形態】
【００１６】
以下、本発明の実施形態を図により説明する。
図１に、本発明の管理システムに係る関係図を示す。図１において、カラオケ装置１１及びホスト装置５１により健康指導コンテンツ再生管理システムを構成する。カラオケ装置１１は、詳細な構成は図２で説明するが、装置ＩＤを有してスタンドアローンで動作可能な可搬式の装置であり、健康指導コンテンツを再生して健康指導のセッションを実行する指導者が介護施設などの場で健康指導セッションに用いられる装置である。
【００１７】
当該カラオケ装置１１は、カラオケ歌唱のための基本的な構成を備え、ＨＤＤなどの記憶部に記憶される通常のカラオケ楽曲演奏データや背景映像データは定期的に更新されるが、通常はスタンドアローンで使用される。なお、カラオケ楽曲演奏データや背景映像データの更新は、通信ネットワークに接続可能な特定な場所に移動させて通信回線と接続して配信を受けて行われ、若しくはリムーバブル・メディアから更新内容をコピーすることで行われる。後述する健康指導コンテンツの更新も同様に行われる。
【００１８】
上記ホスト装置５１は、詳細な構成は図３で説明するが、通信ネットワーク５２にされる。また、通信ネットワーク５２には携帯端末用の端末セル５３が多数接続され、携帯端末６１より無線でホスト装置５１に通信自在とされる。ここでは、介護施設などで健康指導コンテンツを再生して健康指導のセッションを実行する指導者が所持している携帯端末６１を対象としている。携帯端末６１は、携帯電話、スマートホンや携帯タブレットなど通信ネットワーク５２に接続可能なものを対象としている。
【００１９】
ここで、図２に、管理システムを構成するカラオケ装置のブロック構成図を示す。図１において、カラオケ装置１１は、主要装置としてのカラオケ本体１２に、有線又は無線で外部接続されるものとして、表示部１３、ミキシングアンプ１４、集音手段であるマイクロホン１５、スピーカ１６、遠隔入出力装置１７が接続される。
【００２０】
上記表示部１３は、通常の楽曲選曲表示やカラオケ演奏時の背景映像等を表示するもので、例えば液晶ディスプレイ（ＬＣＤ）、プラズマディスプレイ（ＰＤＰ）、その他種々のディスプレイを採用することができる。上記ミキシングアンプ１４は、カラオケ本体１２より送られてくる音楽演奏信号に、マイク１５からの音声信号をミキシングし、増幅してスピーカ１６より出力する。
【００２１】
上記遠隔入出力装置１７は、図示しない送受信部により、カラオケ本体１２に対して有線方式ないし無線方式（ＩＲ方式やブルートゥース（登録商標）機構のピコネット接続方式など）を利用してデータ授受を行うためのもので、少なくとも選曲楽曲登録手段１７Ａ、健康指導コンテンツ選択手段１７Ｂ、パスワード受付手段１７Ｃ及びリモコン表示部１７Ｄを適宜備える。
【００２２】
上記選曲楽曲登録手段１７Ａは楽曲を検索させ、選曲させるテーブルを備えるプログラムであり、選曲された楽曲は、後述のカラオケ本体１２における予約待ち行列（２３Ａ）に登録される。上記健康指導コンテンツ選択手段１７Ｂは、上記指導者が健康指導セッションで再生する一つの健康指導コンテンツを、複数の健康指導コンテンツの中から選択させるプログラムであり、当該健康指導コンテンツは後述するカラオケ本体１２の記憶部３１のデータベース（４３）に記憶されている。
【００２３】
上記パスワード受付手段１７Ｃは、指導者が健康指導コンテンツの選択の際に入力するパスワードを受け付け、後述するカラオケ本体１２の照合手段（２９）に送出するプログラムである。上記リモコン表示部１７Ｄは、液晶ディスプレイ（ＬＣＤ）とタッチセンサとを積層して入出力用とし、表示されるアイコン等に対応して当該タッチセンサにより楽曲の選択などのデータを入力することができるＧＵＩのユーザインタフェース機能を有するものである。
【００２４】
上記カラオケ本体１２は、バス２０、中央制御部２１、ＲＯＭ２２、ＲＡＭ２３、映像表示制御手段２４、音響再生手段２５、送受信部２６、コード生成手段２７、パスワード生成手段２８、照合手段２９、コンテンツ再生手段３０及び記憶部３１を備える。
【００２５】
上記ＲＡＭ２３には予約待ち行列２３Ａの記憶領域が形成される。また、記憶部３１には、楽曲データベース（楽曲ＤＢ）４１、映像データベース（映像ＤＢ）４２及び健康指導コンテンツデータベース（健康指導コンテンツＤＢ）４３が記憶される。なお、上記各構成について、本発明の要旨と直接関連しない要素部分であっても、従前のカラオケシステムにおいても大部分が適用可能であることを示すために、構成要素の全体を説明する。
【００２６】
上記中央制御部２１は、このシステムを統括的に処理制御する物理的なＣＰＵであり、ＲＯＭ２２に記憶されているプログラムに基づくアルゴリズム処理を行うと共に、自己の装置の識別符号として装置ＩＤ２１Ａを有する。上記ＲＡＭ２３は、予約待ち行列２３Ａの記憶領域が形成される他に、上記種々のプログラムを展開、実行させるための作業領域としての役割をなすもので、例えば半導体メモリで構成され、仮想的にハードディスク上に構築される場合をも含む概念である。
【００２７】
上記映像表示制御手段２４は、演奏時に、楽曲ＤＢ４１より抽出された楽曲の歌詞データ及び映像ＤＢ４２より抽出された背景映像、健康指導コンテンツＤＢ４３より抽出された健康指導コンテンツの映像を表示部１３に出力するプログラム乃至電子回路である。上記音響再生手段２５は、楽曲ＩＤで楽曲ＤＢ４１より抽出された演奏データ、健康指導コンテンツＤＢ４３より抽出された健康指導コンテンツの音響信号データを再生するプログラム乃至電子回路である。例えばシーケンスプログラムを備え、楽曲ＩＤで楽曲ＤＢ４１より抽出された演奏データとしての音符データに従って音源（シンセサイザ）を駆動し、演奏信号をミキシングアンプ１４に出力する。
【００２８】
上記送受信部２６は、遠隔入出力装置１７との間で有線方式ないし無線方式（ＩＲ方式やブルートゥース（登録商標）機構のピコネット接続方式など）を利用してデータ授受を行うためのもので、そのための電子回路及びプログラムである。
【００２９】
上記コード生成手段２７は、指導者が遠隔入出力装置１７の健康指導コンテンツ選択手段１７Ｂで選択した健康指導コンテンツのコンテンツＩＤ及び装置ＩＤを含むコンテンツ情報の情報コードを生成するプログラムであり、当該遠隔入出力装置１７のリモコン表示部１７Ｄで表示させ、指導者の所持する携帯端末６１で読み取らせるためのものである。情報コードは、具体的には二次元のＱＲコード（登録商標  図６の１０１参照）であり、加えてホスト装置５１にアクセスするアドレスも含まれる。
【００３０】
上記パスワード生成手段２８は、所定のパスワード生成キー２８Ａを更新自在に記憶し、当該パスワード生成キー２８Ａ及び上記装置ＩＤ２１Ａに基づいてパスワードを生成するプログラムであり、当該パスワード生成キー２８Ａは定期的に更新される。上記照合手段２９は、遠隔入出力装置１７の健康指導コンテンツ選択手段１７Ｂで選択した健康指導コンテンツを再生可能とするパスワードを要求した際に、入力されたパスワードと上記パスワード生成手段２８で生成したパスワードを照合するプログラムである。
【００３１】
上記コンテンツ再生手段３０は、照合手段２９による照合の結果に応じて、一致したときに、選択された健康指導コンテンツをコンテンツＩＤで健康指導コンテンツＤＢ４３より抽出し、映像データは映像表示制御手段２４に送出し、音響データは音響再生手段２５に送出して再生させるプログラムである。
【００３２】
上記記憶部３１に記憶されている楽曲ＤＢ４１は、楽曲毎に、演奏データ（音符データ）、歌詞データを格納する。具体的には、楽曲ＩＤ、曲名及びアーチストＩＤ（アーチスト名）が関連付けられた楽曲テーブルを有し、楽曲毎に、楽曲ＩＤで管理される所定データ形式のカラオケ楽曲の音符データ（例えば、ＭＩＤＩ（登録商標）形式の音符データ）等で構成される楽曲データ（ファイル）について当該楽曲ＩＤをファイル名としてそれぞれ格納したデータベースである。
【００３３】
上記記憶部３１に記憶されている映像ＤＢ４２は、楽曲毎に応じた背景映像データについて楽曲ＩＤをファイル名としてそれぞれ格納したデータベースである。上記記憶部３１に記憶されている健康指導コンテンツＤＢ４３は、健康指導のセッションで再生する映像データや音響データの複数の健康指導コンテンツについてコンテンツＩＤをファイル名として紐付けてそれぞれ格納したデータベースである。
【００３４】
なお、上記カラオケ装置１１には、上述の遠隔入出力装置１７を付属させないものもある。その場合には、表示部１３を、液晶ディスプレイ（ＬＣＤ）とタッチセンサとを積層して入出力用として、表示されるアイコン等に対応して当該タッチセンサにより楽曲の選択などのデータを入力することができるＧＵＩのユーザインタフェース機能を有するものとし、健康指導コンテンツ選択手段１７Ｂ及びパスワード受付手段１７Ｃをカラオケ本体１２に備える構成とすることで実現することができるものである。また、カラオケ本体１２に操作パネルを設けてもよい。
【００３５】
また、図３に、管理システムを構成するホスト装置のブロック構成図を示す。図３（Ａ）において、ホスト装置５１は、制御部７１、ネットワーク送受信部７２、受信情報取得手段７３、指導者情報抽出手段７４、コンテンツ再生判定手段７５、パスワード生成送信手段７６、セッション履歴更新手段７７Ａ、セッション履歴判定手段７７Ｂ、メッセージ作成送信手段７８、指導者情報記憶手段である指導者情報データベース（指導者情報ＤＢ）７９及び再生資格テーブルであるコンテンツ再生等級テーブル８０を備える。
【００３６】
上記制御部７１は、当該ホスト装置５１を統括的に制御する物理的なＣＰＵであり、図示しないＲＯＭに格納されているプログラムを実行処理して統括的な処理を行う。上記ネットワーク送受信部７２は、通信ネットワーク５２の通信方式と整合性をとるための例えば物理的な通信用回路やプラットフォーム等のソフトウエアにより構成され、ここでは図１に示す端末セル５３を介して指導者の所持する携帯端末６１と通信自在とされる。
【００３７】
上記受信情報取得手段７３は、携帯端末６１から送信されてきたカラオケ装置１１で選択された健康指導コンテンツのコンテンツＩＤ、当該カラオケ装置１１の装置ＩＤ及び当該携帯端末６１を所持する指導者の指導者ＩＤを受信して取得するプログラムである。
【００３８】
上記指導者情報抽出手段７４は、携帯端末６１より受信して取得した指導者ＩＤに基づいて、指導者情報ＤＢ７９より対応の指導者情報を抽出するプログラムである。上記コンテンツ再生判定手段７５は、指導者情報抽出手段７３で抽出された指導者情報から当該指導者の資格等級を特定し、コンテンツ再生等級テーブル８０を参照して、当該特定された資格等級と携帯端末５１から送信されてきたコンテンツＩＤとから当該指導者による当該コンテンツの再生を許可するかどうかを判定するプログラムである。
【００３９】
上記パスワード生成送信手段７６は、カラオケ装置１１の所持するパスワード生成キーと同様の更新自在なパスワード生成キーを所持し、コンテンツ再生判定手段７４の判定により当該指導者が当該コンテンツの再生を許可する場合に、当該パスワード生成キーと取得した装置ＩＤとに基づいてパスワードを生成するプログラムである。
【００４０】
上記セッション履歴更新手段７７Ａは、受信情報取得手段７３で携帯端末６１から送信されたセッション履歴を受信して取得し、上記指導者情報ＤＢ７９に取得したセッション履歴を当該指導者の指導者ＩＤに紐付けして更新、記憶するプログラムである。上記セッション履歴判定手段７７Ｂは、セッション履歴更新手段７７Ａが指導者情報ＤＢ７９にセッション履歴を更新、記憶した際に、当該指導者ＩＤに紐付けられた複数のセッション履歴全体が所定の条件を満たしているか否かを判定するプログラムである。
【００４１】
上記メッセージ作成送信手段７８は、セッション履歴判定手段７７Ｂにおいてセッション履歴全体が所定の条件（例えば、回数）を満たしたことを契機として、対応の携帯端末６１に対して当該条件に対応した所定のメッセージを作成して送信するプログラムであり、セッション履歴の内容が満たすべき条件と、その条件に対応したメッセージを記憶させている。なお、所定の条件は、回数ではなく指導した人数の合計で判断してもよい。あるいは、健康指導セッション毎にそのレベルに応じてポイントが決められており、実施した健康指導セッションの合計ポイントで判断してもよく、また、これらを併用した条件としてもよい。
【００４２】
例えば、現資格Ｂの付与後に実施した健康指導セッションが所定回数に達するなど、当該指導者のセッション履歴全体が所定の条件を満たした場合には、携帯端末６１に対して上級資格Ａ取得のための案内文のメッセージを送信する。案内文は、より具体的には、資格Ａ取得に必要な条件をクリアしたことの通知や、次に受講すべきセミナーや受験すべき資格試験の日程の通知などでもよい。
【００４３】
上記指導者情報ＤＢ７９は、健康指導を行う指導者に関する情報をそれぞれ格納するデータベースであり、図３（Ｂ）に示すように、指導者ＩＤに紐付けられて氏名、資格等級、携帯端末ＩＤ（通信用アドレス）及びセッション履歴情報が記憶される。また、セッション履歴情報は、例えばセッションを行った日時、セッションを行った施設名（施設ＩＤ）、使用した装置ＩＤ、使用した健康指導コンテンツのコンテンツＩＤ、指導人数、セッションを記録したセッション記録映像情報（例えばセッションＩＤであり、映像データは別に格納）などが含まれる。
【００４４】
上記コンテンツ再生等級テーブル８０は、図３（Ｃ）に示すように、複数の健康指導コンテンツそれぞれのコンテンツＩＤに、当該健康指導コンテンツの再生が許可される資格等級を対応付けて記憶されるメモリであるが、プログラム中に設定することとしてもよい。
【００４５】
次に、図４に、管理システム運用に係る携帯端末のブロック構成図を示す。図４（Ａ）において、携帯端末６１は、制御部８１、送受信部８２、通信処理部８３、カメラ部８４、記憶部８５及び端末表示部８６を備える。上記制御部８１は、当該携帯端末全体を統括的に制御する物理的なＣＰＵであり、図示しないＲＯＭに格納されているプログラムを実行処理して統括的な処理を行う。
【００４６】
上記送受信部８２は、図１の端末セル５３に対して無線通信を行う通信方式と整合性をとるための例えば物理的な通信用回路により構成され、ここでは、図１に示す端末セル５３を介してホスト装置５１と通信自在とされる。上記通信処理部８３及びカメラ部８４は、従前の携帯電話、スマートホンや携帯タブレットなどに備えられるものであり、通話、データ授受のための処理回路及び撮像のための撮像素子であって、説明を省略する。
【００４７】
上記記憶部８５は、所持する指導者の指導者ＩＤ８７の記憶領域が形成されると共に、健康指導アプリケーションソフト８８がインストールされる。上記端末表示部８６は、液晶ディスプレイ（ＬＣＤ）であり、又は、ＬＣＤとタッチセンサとを積層して入出力用として、表示されるアイコン等に対応して当該タッチセンサにより楽曲の選択などのデータを入力することができるＧＵＩのユーザインタフェース機能を有するデバイスである。
【００４８】
上記記憶部８５にインストールされる健康指導アプリケーションソフト８８は、図４（Ｂ）に示すように、コード読取プログラム９１、コードデータ解析プログラム９２、解析コードデータ通信処理プログラム９３、受信表示プログラム９４及びセッション履歴作成送信プログラム９５を備える。
【００４９】
上記コード読取プログラム９１は、カメラ部８４を用いて上記遠隔入出力装置１７のリモコン表示部１７Ｄに表示されたＱＲコード（図６の１０１参照）を読み取る機能を有する。上記コードデータ解析プログラム９２は、上記読み取ったＱＲコードを解析してコード情報（コンテンツＩＤ、装置ＩＤ、ホスト装置５１の通信アドレス）を取得する機能を有する。
【００５０】
上記解析コードデータ通信処理プログラム９３は、上記解析したコンテンツＩＤ及び装置ＩＤに自己の指導者ＩＤ８７を加えてホスト装置５１の通信アドレスにアクセスして送信する機能を有する。上記受信表示プログラム９４は、ホスト装置５１より送信されてくるパスワード又はメッセージを取得し、端末表示部８６に表示する機能を有する。上記セッション履歴作成送信プログラム９５は、カラオケ装置１１で再生が終了した健康指導コンテンツのコンテンツＩＤ及び指導者ＩＤを含むセッション履歴を作成してホスト装置５１に送信する機能を有するものである。
【００５１】
そこで、図５に管理システム運用の説明流れ図を示すと共に、図６に図５の健康指導コンテンツの選択表示の説明図、図７に図５の携帯端末における健康指導セッションに係る表示形態の説明図を示す。ここでは、指導者の資格等級を「Ｂ」とし、当該指導者が選択する健康指導コンテンツを「体操Ａ」として説明する。
【００５２】
図５において、まず、資格等級Ｂの指導者が健康指導のセッションを行うために、カラオケ装置１１の遠隔入出力装置１７における健康指導コンテンツ選択手段１７Ｂを用いて健康指導コンテンツ「体操Ａ」を選択すると、コード生成手段２７が中央制御部２１の有する装置ＩＤ２１Ａを読み出し、当該装置ＩＤと選択された当該体操ＡのコンテンツＩＤとに基づいてＱＲコードを作成し、リモコン表示部１７Ｄに、図６に示すように、ＱＲコード１０１及びパスワード入力エリアを表示する。
【００５３】
指導者は、自己の所持する携帯端末６１の健康指導アプリケーションソフト（図では「健康指導アプリ」と省略する）を立ち上げ、コード読取プログラム９１及びコードデータ解析プログラム９２の機能により解析した装置ＩＤ及びコンテンツＩＤを特定し、解析コードデータ通信処理手段９３が記憶部８５より指導者ＩＤを読み出し、上記特定した装置ＩＤ及びコンテンツＩＤに指導者ＩＤを加えてホスト装置５１に送信して当該ホスト装置５１からの返信を待つ。
【００５４】
ホスト装置５１では、受信情報取得手段７３が装置ＩＤ、コンテンツＩＤ及び指導者ＩＤを取得する。そこで、指導者情報抽出手段７４が指導者ＩＤに基づいて指導者情報ＤＢ７９より該当の指導者情報を抽出し、コンテンツ再生判定手段７５が指導者情報より当該指導者の等級Ｂを特定し、コンテンツ再生等級テーブル８０を参照して、取得したコンテンツＩＤの再生許可指導者資格等級と照合して資格Ｂの指導者がコンテンツＩＤの健康指導コンテンツ（「体操Ａ」）を再生することを許可されているか否かを判定する。
【００５５】
資格Ｂを有する指導者がコンテンツＩＤの健康指導コンテンツ（「体操Ａ」）を再生することを許可されていると判定した場合には、パスワード生成送信手段７６が、パスワード生成キー及び当該装置ＩＤに基づいてパスワードを生成して、携帯端末６１に返信する。また、許可されていないと判定した場合には、再生不可のメッセージを携帯端末６１に返信する。
【００５６】
携帯端末６１では、ホスト装置５１より送信されてきたパスワードを受信表示プログラム９４が、図７（Ａ）に示すように、端末表示部８６に表示する。また、再生不可のメッセージの場合には、図７（Ｂ）に示すように、当該メッセージを端末表示部８６に表示する。携帯端末６１でパスワードが表示された場合、指導者が図６に示す表示画面のパスワード入力エリアにパスワードを入力する。
【００５７】
カラオケ装置１１では、パスワード生成手段２８が自身の持つパスワード生成キー２８Ａ及び装置ＩＤ２１Ａからパスワードを生成し、照合手段２９が生成されたパスワードと上記入力されたパスワードとを照合し、両者が一致した場合には体操Ａの健康指導コンテンツの再生指示を受け付ける。
【００５８】
そして、コンテンツ再生手段３０が、当該コンテンツＩＤに基づいて、健康指導コンテンツＤＢ４３より体操Ａのコンテンツを読み出し、映像表示制御手段２４及び音響再生手段２５にそれぞれ送出して再生する。一方、照合手段２９において、不一致と判定された場合にはリモコン表示部１７Ｄに不一致の表示をおこなう共に、再度入力させるパスワード入力表示を行う。なお、健康指導セッションの実行に伴って、例えば携帯端末６１で映像記録してもよい。
【００５９】
選択した健康指導コンテンツの再生が終了すると、指導者が再度携帯端末６１の健康指導アプリケーションソフトを立ち上げ、実行したセッション情報を入力することでセッション履歴作成送信手段９５がセッションを行った日時、セッションを行った施設名（施設ＩＤ）、使用した装置ＩＤ、使用した健康指導コンテンツのコンテンツＩＤ、指導人数、セッションを記録したセッション記録映像情報を含ませたセッション履歴を作成し、当該セッション履歴情報をホスト装置５１に送信する。
【００６０】
ホスト装置５１では、携帯端末６１から送信されたセッション履歴を受信情報取得手段７３が受信し、セッション履歴更新手段７７Ａが指導者ＩＤと紐付けられた指導者情報ＤＢ７９を更新、記憶する。さらに、セッション履歴判定手段７７Ｂが、受信したセッション履歴により指導者情報ＤＢ７９を更新した際、現資格Ｂの付与後に実施した健康指導セッションが所定回数に達するなど、当該指導者のセッション履歴全体が所定の条件を満たした場合には、当該携帯端末６１に対して上級資格Ａ取得のための案内文のメッセージを作成して送信する。携帯端末６１では、受信したメッセージを、図７（Ｃ）に示すように、表示するものである。
【００６１】
このように、スタンドアローンの可搬式のカラオケ装置であっても、指導者の資格等級を特定することが可能となって、指導者資格等級の異なる健康指導コンテンツの再生を制限することができるものである。また、セッション履歴に基づいて案内文を指導者に送信することで、指導者に対して資格昇級の意欲を向上させ、システム利用のサービス向上を図ることができるものである。
【産業上の利用可能性】
【００６２】
本発明の健康指導コンテンツ再生管理システムは、カラオケの基本的機能を備えたカラオケ装置及びカラオケ用のホスト装置の製造、使用、販売等の産業に利用可能である。
【符号の説明】
【００６３】
１１            カラオケ装置
１２            カラオケ本体
１７            遠隔入出力装置
１７Ｂ          健康指導コンテンツ選択手段
１７Ｃ          パスワード受付手段
１７Ｄ          リモコン表示部
２７            コード生成手段
２８            パスワード生成手段
２９            照合手段
３０            コンテンツ再生手段
４３            健康指導コンテンツＤＢ
５１            ホスト装置
６１            携帯端末
７４            指導者情報抽出手段
７５            コンテンツ再生判定手段
７６            パスワード生成送信手段
７７Ａ          セッション履歴更新手段
７７Ｂ          セッション履歴判定手段
７８            メッセージ作成送信手段
７９            指導者情報ＤＢ
８０            コンテンツ再生等級テーブル
８８            健康指導アプリケーションソフト（健康指導アプリ）
１０１          ＱＲコード
【図１】
0006358926.tif 000002
【図２】
0006358926.tif 000003
【図３】
0006358926.tif 000004
【図４】
0006358926.tif 000005
【図５】
0006358926.tif 000006
【図６】
0006358926.tif 000007
【図７】
0006358926.tif 000008